(57)【特許請求の範囲】
【請求項１】
遊技盤の表面に、パチンコ球の流下経路に変化を持たせるための風車を障害釘と共に釘打ち固定し、以下の構成をも採用したことを特徴とするパチンコ機。
（１）前記遊技盤が透光性の素材で形成されると共に、前記風車が、光透過性を有する合成樹脂製の風車部材と、光透過性を有する合成樹脂製で前記風車部材の前面に取り付けられる化粧板とを係合させた組立体によって構成されていること。
（２）前記風車部材は軸筒部の周囲に複数枚の羽根が放射状に一体形成され、該軸筒部は、下端の所定範囲を同一径の細径部とし、該細径部よりも上端側を同一又はテーパを有する太径部として、上端を最大径とする段付き孔とされ、前記羽根は、外側が自由端となる様に当該軸筒部の外周に一体形成されていること。
（３）前記風車部材の軸筒部の上端から、先端に外向きの返しを備える複数の係止爪を該軸筒部の軸心を中心として当該軸筒部の外周面よりも外側の放射状位置において軸方向に伸びる様に当該軸筒部から突設させたこと。
（４）前記化粧板に、前記風車部材の軸筒部の細径部と略同一の細孔を形成すると共に、該細孔の周囲に、前記複数の係止爪を係合させる複数の係止孔を、前記細孔の軸心を中心として放射状に開口させたこと。
（５）前記各羽根の上端面から長円形断面の突起を突設させると共に、組立時に該突起が嵌まり込む長円形の嵌合孔を前記化粧板の対応位置に穿設したこと。
（６Ａ）前記化粧板の裏面に、組立時に前記羽根の側面上部に当接する突条列を前記嵌合孔を挟む位置に突設させたこと。
（６Ｂ）前記化粧板は、表面側の中心部分が前記細孔と同心円の凹部とされ、裏面側は縁部をテーパ面とすると共に中心部分を前記細孔と同心円の突部とされた円盤で構成され、前記係止孔が当該化粧板の前記凹部に前記細孔を中心とする放射状に開口された矩形状の貫通孔で構成されると共に、前記突条列が当該化粧板の突部の外側に放射状に形成されていること。
【請求項２】
さらに、以下の構成をも備えていることを特徴とする請求項１記載のパチンコ機。
（13）前記風車部材は、前記係止爪と前記羽根を３個以上で同数とし、羽根と羽根の間に係止爪が位置する様に、羽根−係止爪間の角度が同一角度となる様に構成されていること。
（14）前記化粧板は、前記係止孔と前記突条列を３個以上で同数とし、突条列と突条列の中心線上に前記嵌合孔が位置し、該嵌合孔同士の中心線上に前記係止孔が位置する様に、突条列−係止孔及び係止孔−嵌合孔の角度が同一角度となる様に構成されていること。
【発明の詳細な説明】
【技術分野】
【０００１】
本発明は、パチンコ球の流下経路に変化を持たせるための風車として合成樹脂製の風車を遊技盤に取り付けたパチンコ機に関する。
【背景技術】
【０００２】
従来、パチンコ機の風車において、装飾性を考慮した提案が種々なされている（例えば、特許文献１〜３）。
【０００３】
特許文献１は、円盤部の背面の中心部に釘を挿通するための軸筒を透光性材料により一体に形成すると共に、その軸筒の外周囲に複数の羽根部材が軸心を中心として等角度間隔で放射状に配設され、その円盤部には、模様などが表された非透光性の装飾板であるブリキ製装飾板を被着し、この装飾板の前面の３カ所に穿設された環状穴から円盤部の一部が見えるように設けられた風車を、その背後に埋設した発光ダイオードで照明する様にして装飾性を高めることを提案している（図１０（Ａ）参照）。
【０００４】
特許文献２は、前面周円に周壁を形成した風車本体と、該周壁に囲まれた凹部とほぼ同じ大きさとし、任意の図案を施した装飾用シートと、前記凹部と同じ大きさとし、係止手段で係止可能とした透明又は半透明の前面飾り板とを設け、風車本体の凹部に装飾用シートを介在して係止手段で前面飾り板を係脱しうるものとすることで、風車の図案の変更に適切に対応する様にした風車を提案している（図１０（Ｂ）参照）。
【０００５】
特許文献３は、遊技者から見て遊技盤とが重なる部分において少なくとも一部が透光性を有する部材によって形成された風車を用いることにより、遊技者が風車の裏側を視認可能な構造とすることを提案している（図１０（Ｃ）参照）。
【特許文献１】特開２００２−１５３６１４号公報（図１，図２）
【特許文献２】特開平１０−２３４９４４号公報（図３，図４）
【特許文献３】特開２００５−２８７７８５号公報（図３，図５）
【発明の開示】
【発明が解決しようとする課題】
【０００６】
特許文献１に記載された風車は、合成樹脂一体成形であることから、釘を挿通する軸孔が同一径となる。このため、回転し易くするために軸孔の径を大きくするとガタツキが大きくなり、スムーズに回転できなくなる可能性がある。
【０００７】
特許文献２〜３に記載された風車は、別体の前面飾り板を係止する構造とすることで、軸孔の両端を細く、中間部分を太くすることができるので、ガタツキなくスムーズに回転する風車を構成することが可能である。
【０００８】
しかし、特許文献２に記載された風車は、前面飾り板は風車本体の周壁に囲まれた凹部に係止されるものであるため、一旦組み立てられたものから一部部品を交換して用いるといったことが難しい。
【０００９】
また、特許文献３に記載された風車は、図１０（Ｃ）の＜特開２００５−２８７７８５の図５＞に示す様に、円盤部材３１１と、羽根部材３１３と、連結部材３１２の３部品を位置合わせして組み立てるものであるため、組立時の位置合わせが面倒である。また、羽根部材３１３に配備された係止片３１３ｃが連結部材３１２に配備された穴３１２ｃに後方から嵌め込まれることにより、連結部材３１２と羽根部材３１３とが結合されると同時に、連結部材３１２に配備された係止片３１２ｂが開口部３１１ｃを介して開口部３１１ｃの内周縁で係止されることにより、連結部材３１２と円盤部材３１１とが結合される方式であるため、やはり、部品交換のために分解することが容易ではない。
【００１０】
本願は、スムーズに回転する風車によってパチンコ球が流下経路を変更される様子を視認でき、遊技盤に光透過性の合成樹脂を採用したことによる装飾効果を妨げない様にすることを目的とする。
【課題を解決するための手段】
【００１１】
上記目的を達成するためになされた本発明のパチンコ機は、遊技盤の表面に、パチンコ球の流下経路に変化を持たせるための風車を障害釘と共に釘打ち固定し、以下の構成をも採用したことを特徴とする。
（１）前記遊技盤が透光性の素材で形成されると共に、前記風車が、光透過性を有する合成樹脂製の風車部材と、光透過性を有する合成樹脂製で前記風車部材の前面に取り付けられる化粧板とを係合させた組立体によって構成されていること。
（２）前記風車部材は軸筒部の周囲に複数枚の羽根が放射状に一体形成され、該軸筒部は、下端の所定範囲を同一径の細径部とし、該細径部よりも上端側を同一又はテーパを有する太径部として、上端を最大径とする段付き孔とされ、前記羽根は、外側が自由端となる様に当該軸筒部の外周に一体形成されていること。
（３）前記風車部材の軸筒部の上端から、先端に外向きの返しを備える複数の係止爪を該軸筒部の軸心を中心として当該軸筒部の外周面よりも外側の放射状位置において軸方向に伸びる様に当該軸筒部から突設させたこと。
（４）前記化粧板に、前記風車部材の軸筒部の細径部と略同一の細孔を形成すると共に、該細孔の周囲に、前記複数の係止爪を係合させる複数の係止孔を、前記細孔の軸心を中心として放射状に開口させたこと。
（５）前記各羽根の上端面から長円形断面の突起を突設させると共に、組立時に該突起が嵌まり込む長円形の嵌合孔を前記化粧板の対応位置に穿設したこと。
（６）前記化粧板の裏面に、組立時に前記羽根の側面上部に当接する突条列を前記嵌合孔を挟む位置に突設させたこと。
（６Ａ）前記化粧板の裏面に、組立時に前記羽根の側面上部に当接する突条列を前記嵌合孔を挟む位置に突設させたこと。
（６Ｂ）前記化粧板は、表面側の中心部分が前記細孔と同心円の凹部とされ、裏面側は縁部をテーパ面とすると共に中心部分を前記細孔と同心円の突部とされた円盤で構成され、前記係止孔が当該化粧板の前記凹部に前記細孔を中心とする放射状に開口された矩形状の貫通孔で構成されると共に、前記突条列が当該化粧板の突部の外側に放射状に形成されていること。
【００１２】
本発明のパチンコ機によれば、返し付き係止爪が化粧板の表面から返しを突出させた状態に係止されることから、返しが係止孔による係止を回避する方向に窄まる様に係止爪を変形させることによって容易に分解することができる。よって、化粧板を取り替えることによる装飾性の変更が容易であり、かつ、その場合に、風車部材は共通利用することができる。
【００１３】
本発明のパチンコ機の風車によれば、組立体としての風車は、返し付き係止爪が化粧板の表面から返しを突出させた状態に係止されることから、返しが係止孔による係止を回避する方向に窄まる様に係止爪を変形させることによって容易に分解することができる。よって、化粧板を取り替えることによる装飾性の変更が容易であり、かつ、その場合に、風車部材は共通利用することができる。
【００１４】
また、組立時には、羽根は、その突起を化粧板の嵌合孔に嵌り込ませた状態となっている。そして、遊技盤に釘で取り付けたときに上端と下端で取付釘の外面に接触しつつ支持され、中程の部分は取付釘には接しないことから、スムーズに回転する。この作用・効果は、「（７）前記化粧板の細孔、前記軸筒部の太径部、及び前記軸筒部の細径部は、風車を遊技盤に取付釘で取り付けたとき、当該取付釘の外面が前記軸筒部の太径部の内面と接することなく、前記化粧板の細孔及び前記軸筒部の細径部の内面が共に当該取付釘の外面に接触する様に、組み立て状態において軸心を一致させる構成とされていること。」により、確実となる。
【００１５】
なお、羽根の突起と化粧板の嵌合孔は、嵌まり合ったときに若干の遊びがあって構わない。それは、複数（望ましくは３個以上）の返し付き係止爪によって係止されることと相俟って、回転に影響を与える様なガタツキは生じ難いからである。また、若干の遊びがある方が、分解・組立を実行し易いからである。
【００１６】
さらに、各羽根は、突起を嵌合孔に嵌まり込ませると共に、突条列の間にも嵌り込んだ状態となり、一層、しっかりと支えられた状態に組み立てることができるからである。なお、ここでも、突条列に対する羽根の嵌り込み状態には、若干の遊びがあって構わない。むしろ、若干の遊びがある方が、分解・組立を実行し易い。
【００１７】
また、本発明のパチンコ機は、さらに、以下の構成をも備えるとよい。
（８）前記化粧板は、表面側が前記細孔と同心円の凹部とされると共に裏面側が前記細孔と同心円の突部とされた凹凸付きの円盤で構成され、前記係止孔が当該化粧板の前記凹部に前記細孔を中心とする放射状に開口された矩形状の貫通孔で構成されると共に、前記突条列が当該化粧板の突部の外側に放射状に形成されていること。
（９）前記風車部材の各羽根の上端面は、組み立て時に各羽根の外周側部分が共に前記化粧板の裏面に当接する様に、前記化粧板の裏面の形状と対応する段付き面として構成されていること。
【００１８】
（１）〜（６）に加えて、（８），（９）の構成をも備えることにより、化粧板と風車が接触した状態に組み立てることができる。加えて、本発明のパチンコ機は、さらに、以下の構成をも備えると、組み立て時に化粧板表面から係止爪が突出しないので、遊技盤に組み付ける場合の高さ基準が明確となる。
（10）前記表面側の凹部は、その深さが前記返し付き係止爪の返しから先端までの長さ以上であること。
【００１９】
加えて、本発明のパチンコ機は、さらに、以下の構成をも備えるとよい。
（11）前記返し付き係止爪は、前記軸筒部の上端から外へ伸びる根本部と、該根本部の先端から軸方向に伸びる本体部と、該本体部の先端から外に向かって突出する返し部とから構成されていること。
（12）前記軸筒部において前記返し付き係止爪の根本部との連接部分には、該根本部の外側を軸方向に切り込んだ態様のスリットが形成されていること。
【００２０】
（１）〜（６）に加えて、（11），（12）の構成をも備えることにより、返し付き係止爪を化粧板の係止孔に係止させる際、及び、返し付き係止爪を化粧板の係止孔から離脱させる際に、係止爪が内外へと変形し易くなり、分解・組立の作業性が向上するからである。
【００２１】
また、本発明のパチンコ機は、さらに、以下の構成をも備えるとよい。
（13）前記風車部材は、前記係止爪と前記羽根を３個以上で同数とし、羽根と羽根の間に係止爪が位置する様に、羽根−係止爪間の角度が同一角度となる様に構成されていること。
（14）前記化粧板は、前記係止孔と前記突条列を３個以上で同数とし、突条列と突条列の中心線上に前記嵌合孔が位置し、該嵌合孔同士の中心線上に前記係止孔が位置する様に、突条列−係止孔及び係止孔−嵌合孔の角度が同一角度となる様に構成されていること。
【００２２】
（13），（14）の構成をも備えることにより、風車部材と化粧板の組立において係止爪を係止孔に係止させれば正しい位置関係で組み立てることができ、組立が容易になる。特に、「（15）前記風車部材及び化粧板は、光透過性の合成樹脂で射出成形によって形成されていること。」という構成をも加えて、風車の裏面側の遊技盤や、パチンコ球が風車によって流下経路を変更される様子を視認できる様にする場合に、透けて見える羽根の端面等が美しい放射状に見え、光透過性の合成樹脂を採用したことによる装飾効果を妨げない。なお、遊技盤も光透過性として、大型液晶表示装置を配置するならば、風車と重なる部分の映像も視認することができ、その場合に、風車が装飾性を損なうことがない。
【発明の効果】
【００２３】
本発明のパチンコ機によれば、スムーズに回転する風車によってパチンコ球が流下経路を変更される様子を視認でき、遊技盤に光透過性の合成樹脂を採用したことによる装飾効果を妨げない。
【発明を実施するための最良の形態】
【００２４】
以下、本発明を具体化した実施形態を図面に基づき詳細に説明する。実施形態としてのパチンコ機の風車１は、図１〜図３に示す様に、軸筒部１１の周囲に３枚の羽根１２が１２０度間隔で放射状に一体形成された風車部材１０と、風車部材１０の前面に取り付けられる化粧板３０とを係合させて組み立てる様に構成されている。
【００２５】
風車部材１０の軸筒部１１は、図１，図２に示す様に、下端の所定範囲を同一径の細径部１３とし、細径部１３よりも上端側をテーパを有する太径部１４として、上端を最大径とする段付き孔とされている。また、風車部材１０の軸筒部１１の上端から、３個の返し付き係止爪１５を軸筒部１１の軸心を中心として１２０度間隔で放射状に突設してある。なお、各返し付き係止爪１５は、それぞれ、羽根１２−１２の真ん中に位置する様に、羽根−係止爪間の角度が６０度となる位置に配置されている。これら３個の返し付き係止爪１５は、返し１６が外向きとなる片矢印形状をしている。また、各返し付き係止爪１５，１５，１５は、軸筒部１１の上端から外へ伸びる根本部１５ａと、根本部１５ａの先端から軸方向に伸びる本体部１５ｂと、本体部１５ｂの先端から外に向かって突出する返し１６とから構成されている。そして、軸筒部１１において、返し付き係止爪１５の根本部１５ａとの連接部分には、根本部１５ａの外側を軸方向に切り込んだ態様のスリット１８が形成されている。さらに、各羽根１２，１２，１２の上端面からは小判形断面の突起１７が突設されている。
【００２６】
化粧板３０には、図１，図３に示す様に、風車部材１０の軸筒部１１の細径部１３と略同一径の細孔３１を形成すると共に、細孔３１の周囲に、返し付き係止爪１５を係合させる３個の係止孔３２を、細孔３１の軸心を中心として１２０度間隔で放射状に開口させてある。また、組立時に各羽根１２の突起１７が嵌まり込む嵌合孔３３も化粧板３０の対応位置に穿設してある。さらに、化粧板３０の裏面には、組立時に羽根１５の側面上部に当接する突条列３４を嵌合孔３３を挟む位置に突設させてある。そして、化粧板３０は、係止孔３２と突条列３４を同数とし、突条列３４と突条列３４の中心線上に嵌合孔３３が位置し、嵌合孔３３同士の中心線上に係止孔３２が位置する様に、突条列３４−係止孔３２及び係止孔３２−嵌合孔３４の角度が同一角度となる様に構成されている。
【００２７】
ここで、化粧板３０は、細孔３１と同心円で表面側が凹部３５ａとなり、裏面側が突部３５ｂとなる円形段部３５が一体形成された円盤で構成されている。そして、各係止孔３２は、円形段部３５の中心側の範囲に形成され、各突条列３４は、円形段部３５の外側の範囲に形成されている。また、円形段部３５を構成する表面側の凹部３５ａは、返し付き係止爪１５の返し１６から先端までの長さより若干大きい深さを有する。さらに、風車部材１０の各羽根１２の上端面は、その中心側部分１９ａが軸筒部１１の上端と面一で外周側部分１９ｂが組み立て時に化粧板３０の裏面に当接する高さとなる様に、化粧板３０の裏面の形状と対応する段付き面１９で構成されている。
【００２８】
また、風車部材１０及び化粧板３０は、透明な合成樹脂で射出成形によって形成されている。
【００２９】
この風車によれば、返し付き係止爪１５が化粧板３０の表面から返し１６を突出させた状態に係止されることから、返し１６が係止孔３２による係止を回避する方向に窄まる様に係止爪１５を変形させることによって容易に分解することができる。よって、化粧板３０を取り替えることによる装飾性の変更が容易であり、かつ、その場合に、風車部材１０は共通利用することができる。
【００３０】
また、組立時には、羽根１２は、その突起１７を化粧板３０の嵌合孔３３に嵌り込ませた状態となっている。さらに、各羽根１２は、突起１７を嵌合孔３３に嵌まり込ませると共に、突条列３４の間にも嵌り込んだ状態にもなっている。そして、図９に示す様に、遊技盤１１０に釘５１で取り付けたときに上端と下端で取付釘の外面に接触しつつ支持され、中程の部分は取付釘には接しないことから、スムーズに回転する。なお、羽根１２の突起１７と化粧板３０の嵌合孔３３は、嵌まり合ったときに若干の遊びがあって構わない。それは、３個の返し付き係止爪１５によって係止されることと相俟って、回転に影響を与える様なガタツキは生じ難いからである。また、突条列３４に対する羽根１２の嵌り込み状態には、若干の遊びがあって構わない。むしろ、若干の遊びがある方が、分解・組立を実行し易い。
【００３１】
また、化粧板３０と風車部材１０が接触した状態に組み立てることができ、しかも、この組み立て時に化粧板３０の表面から係止爪１５が突出しないので、遊技盤に組み付ける場合の高さ基準が明確となる。
【００３２】
さらに、本実施形態の風車１によれば、返し付き係止爪１５を、軸筒部１１の上端から外へ伸びる根本部１５ａと、根本部１５ａの先端から軸方向に伸びる本体部１５ｂと、本体部１５ｂの先端から外に向かって突出する返し１６とから構成すると共に、軸筒部１１において返し付き係止爪１５の根本部１５ａとの連接部分には、根本部１５ａの外側を軸方向に切り込んだ態様のスリット１８が形成されているから、返し付き係止爪１５を化粧板３０の係止孔３２に係止させる際、及び、返し付き係止爪１５を化粧板３０の係止孔３２から離脱させる際に、係止爪１５が内外へと変形し易くなり、分解・組立の作業性が良い。
【００３３】
さらに、各返し付き係止爪１５が羽根１２−１２の真ん中に位置する様に、羽根−係止爪間の角度が６０度となる位置に配置され、突条列３４−係止孔３２及び係止孔３２−嵌合孔３３の角度も６０度となる様に構成されているので、風車部材１０と化粧板２０の組立において係止爪１５を係止孔３２に係止させれば正しい位置関係で組み立てることができ、組立が容易である。
【００３４】
加えて、風車部材１０及び化粧板３０を透明な合成樹脂の射出成形品としたので、風車１の裏面側の遊技盤や、パチンコ球が風車１によって流下経路を変更される様子を視認できる様にする場合に、透けて見える羽根１２の端面等が美しい放射状に見え、光透過性の合成樹脂を採用したことによる装飾効果を妨げない。従って、遊技盤も光透過性として、大型液晶表示装置を配置するならば、風車１と重なる部分の映像も視認することができ、その場合に、風車１が装飾性を損なうことがない。
【００３５】
次に、この風車１を取り付けたパチンコ機について説明する。なお、このパチンコ機の説明において、「左」又は「右」とは、パチンコ機の表側（前面側）から見たときの「左」又は「右」を示すものとする。
【００３６】
実施形態のパチンコ機は、図４〜図９に示す様に、遊技盤１１０と、遊技盤１１０の裏側に配置される裏ベース１２０と、裏ベース１２０の背後に取り付けられる液晶表示装置１３０とを備えている。
【００３７】
遊技盤１１０は、透光性の素材（例えば、アクリル樹脂）で形成され、図４に示す様に、表面側に障害釘が固定される。また、図５に示す様に、中央部にセンター窓１１１が開口されると共に、スルーチャッカー取付窓１１２、入賞装置取付窓１１３，１１４、アウト口取付窓１１５も開口されている。
【００３８】
裏ベース１２０は、図５に示す様に、合成樹脂で射出成形によって製造される箱枠状の本体１２１と、この本体１２１の裏面に固定される種々の裏面部品等とから構成される。本体１２１は、中央に液晶表示視認用窓１２２が開口され、入賞装置取付窓１２３やアウト口取付窓１２４も開口され、遊技盤１１０とほぼ同じ形状の枠体として構成されている。しかし、遊技盤１１０と全く同じ形状という訳ではなく、液晶表示視認用窓１２２は、左側の部分において遊技盤１１０の障害釘の固定された部分の少なくとも一部まで及ぶ大きさとされている。換言すれば、遊技盤１１０のセンター窓１１１は、左側の部分において、裏ベース１２０の液晶表示視認用窓１２２の内側に位置する大きさとされている。
【００３９】
液晶表示装置１３０は、図５，図６に示す様に、裏ベース１２０に開口された液晶表示視認用窓１２２の幅方向に全体を塞ぐ面積を有している。従って、液晶表示装置１３０は、左側において、遊技盤１１０の障害釘の固定された部分の背後にも、遊技盤１１０を透過して見える画像表示が可能なものとなっている。この液晶表示装置１３０は、裏面に制御基板ユニット１７０を取り付けることのできる液晶ケース１３１に収納されている。
【００４０】
遊技盤１１０のセンター窓１１１は、図４，図５に示す様に、左側の部分において、レンズ体１６１の近傍まで開口し下部にはステージ部品２０１が装着される。ステージ部品２０１は、通常のパチンコ機と同様に、遊技盤１１０の裏面側まで入り込み、ワープルートを経由して来た遊技球を左右方向に転動させ、最終的に前方へ誘導するための部品である。ワープルートは、遊技盤１１０の裏面側に固定されるワープルート構成部材１８０によって形成されている。遊技盤１１０のセンター窓１１１は、左側の部分において、裏ベース１２０の液晶表示視認用窓１２２よりも内側に入り込んでいるから、ワープルート構成部材１８０は、液晶表示視認用窓１２２の開口の内側に臨む様に設置される。
【００４１】
ワープルート構成部材１８０は、図７，図８に示す様に、前面が開放されたＵ字状断面の部品として透光性の合成樹脂で射出成形された部品である。従って、上述の様に、液晶表示視認用窓１２２の開口の内側に臨む様に設置されるものの、当該ワープルート構成部材１８０を透かして背後の液晶表示装置１３０による画像が正面から視認可能となっている。また、ワープルート通過中の遊技球は、遊技盤１１０を通して視認可能となっている。
【００４２】
このパチンコ機では、図４，図９に示す様に、ワープルート構成部材１８０と一部重なる様に風車１が取り付けられる。実施形態の風車１は透明合成樹脂成形品で構成されているから、風車１、遊技盤１１０、ワープルート構成部材１８０を透かす様にして、背後の大型液晶表示装置１３０の映像を視認することができる。そして、その場合に、本実施形態では、突条列３４等を等間隔で配置し、羽根１２の端面が美しく表れる様に構成したので、風車１が液晶表示装置１３０による映像表示の装飾性を損なうことがない。
【００４３】
また、化粧板３０に形成した嵌合孔３３に羽根１２の突起１７を嵌まり込ませると共に、化粧板３０の裏面に設けた突条列３４で羽根１２の上端を挟む様にしてしっかりと保持することで、羽根１２がしっかりと補強された状態となる。そして、突条列３４は、化粧板３０に対する補強リブにもなっている。従って、突条列３４は、パチンコ球が頻繁に衝突する風車１の全体を補強する役割も果たしている。
【００４４】
以上、発明を実施するための最良の形態としての実施形態を説明したが、本発明は、これに限定されるものではなく、その要旨を逸脱しない範囲内における種々の変更が可能である。
【図面の簡単な説明】
【００４５】
【図１】実施形態のパチンコ機の風車を示し、（Ａ）は正面図、（Ｂ）は平面図、（Ｃ）は背面図、（Ｄ）は右側面図、（Ｅ）はａ−ａ断面図である。
【図２】実施形態の風車の風車部材を示し、（Ａ）は正面図、（Ｂ）は平面図、（Ｃ）は背面図、（Ｄ）は右側面図、（Ｆ）は右側面の一部拡大図、（Ｅ）はｂ−ｂ断面図である。
【図３】実施形態の風車の化粧板を示し、（Ａ）は正面図、（Ｂ）は平面図、（Ｃ）は背面図、（Ｄ）は右側面図、（Ｅ）はｃ−ｃ断面図である。
【図４】実施形態のパチンコ機の遊技盤の正面図である。
【図５】実施形態のパチンコ機の要部を正面方向から見た分解斜視図である。
【図６】実施形態のパチンコ機の要部を背面方向から見た分解斜視図である。
【図７】実施形態のパチンコ機の要部を正面方向から見た拡大分解斜視図である。
【図８】実施形態のパチンコ機の要部を背面方向から見た拡大斜視図である。
【図９】実施形態のパチンコ機の要部を示し、（Ａ）は拡大正面図、（Ｂ）は拡大断面図である。
【図１０】従来技術の説明図である。
【符号の説明】
【００４６】
１・・・パチンコ機の風車
１０・・・風車部材
１１・・・軸筒部
１２・・・羽根
１３・・・細径部
１４・・・太径部
１５・・・返し付き係止爪
１５ａ・・・根本部
１５ｂ・・・本体部
１６・・・返し
１７・・・突起
１８・・・スリット
１９・・・段付き面
１９ａ・・・中心側部分
１９ｂ・・・外周側部分
３０・・・化粧板
３１・・・細孔
３２・・・係止孔
３３・・・嵌合孔
３４・・・突条列
３５・・・円形段部
３５ａ・・・凹部
３５ｂ・・・突部
５１・・・釘
１１０・・・遊技盤
１１１・・・センター窓
１１２・・・スルーチャッカー取付窓
１１３，１１４・・・入賞装置取付窓
１１５・・・アウト口取付窓
１２０・・・裏ベース
１２１・・・箱枠状の本体
１２２・・・液晶表示視認用窓
１２３・・・入賞装置取付窓
１２４・・・アウト口取付窓
１３０・・・液晶表示装置
１３１・・・液晶ケース
１６１・・・レンズ体
１７０・・・制御基板ユニット
１８０・・・ワープルート構成部材
２０１・・・ステージ部品
【図１】
0005570574.tif 000002
【図２】
0005570574.tif 000003
【図３】
0005570574.tif 000004
【図４】
0005570574.tif 000005
【図５】
0005570574.tif 000006
【図６】
0005570574.tif 000007
【図７】
0005570574.tif 000008
【図８】
0005570574.tif 000009
【図９】
0005570574.tif 000010
【図１０】
0005570574.tif 000011